(57)【要約】  【課題】  デジタル放送の映像音声情報を記録する際にはコピー制御情報に応じて記録を行えるようにすると共に、編集する際にはＣＭ部分を削除して映像音声信号を編集する処理を簡単に行えるようにする復号記録装置を提供する。  【解決手段】  デジタルの放送の映像音声情報を記録する際、記録処理部７は、映像音声情報に含まれるコピー制御信号にコピーワンス信号が有る場合にのみ、当該映像音声信号を光ディスクドライブ３により光ディスクに記録する。コピー制御信号の有無に関係なく光ディスクに記録された映像音声情報を編集する際は、編集処理部８は、コピー制御信号の有無に関係なく光ディスクに記録された映像音声情報を読み出し、当該映像音声情報がＣＰＲＭ信号による処理がされていなく、ＣＰＲＭ処理の無い期間が所定時間より長くないと判定された場合に、当該映像音声情報がＣＭ部分であると断定して該ＣＭ部分を削除する。【選択図】      図１
2005229156.tif 000002
【特許請求の範囲】
【請求項１】
デジタルの放送信号を受信し、前記放送信号を復号して得られた映像音声情報に含まれ
るコピー制御情報の内容を判定することにより、前記映像音声情報が記録可能であるかを
決定し、記録可能な場合に前記映像音声情報を記録媒体に記録することができるようにし
た復号記録装置において、デジタルの放送信号を受信し、前記放送信号を復号して得られ
た映像音声情報を記録する処理を行う記録処理部は、当該映像音声信号に含まれるコピー
制御信号にコピーワンス信号が有るか無いかを判定するコピーワンス判定手段と、前記コ
ピー制御信号にコピーワンス信号が有ると判定された場合には当該映像音声信号をＣＰＲ
Ｍ信号による処理で暗号化して前記記録媒体に記録すると共に前記コピー制御信号にコピ
ーワンス信号が無いと判定された場合には前記映像音声信号を前記記録媒体に記緑しない
ように制御する第１の記録制御手段とを有し、コピー制御信号の有無に関係なく前記記録
媒体に記録された映像音声情報を編集する編集処理部は、前記記録媒体に記録された映像
音声情報を読み出し当該映像音声情報がＣＰＲＭ信号による処理がされているか否かを判
定するＣＰＲＭ判定手段と、当該映像音声情報がＣＰＲＭ信号による処理がされていると
判定された場合には当該映像音声情報を前記記録媒体に記録する制御を行う第２の記録制
御手段と、当該映像音声情報がＣＰＲＭ信号による処理がされていないと判定された場合
には当該映像音声情報に対するＣＰＲＭ処理の無い期間が所定時間より長いか否かを判定
するＣＰＲＭ無期間判定手段と、前記ＣＰＲＭ処理の無い期間が所定時間より長いと判定
された場合には当該映像音声情報を前記記録媒体に記録する制御を行う第３の記録制御手
段と、前記ＣＰＲＭ処理の無い期間が所定時間より長くないと判定された場合には当該映
像音声情報はＣＭ部分であると断定して該ＣＭ部分を削除するＣＭ削除手段とを有するこ
とを特徴とする復号記録装置。
【請求項２】
デジタルの放送信号を受信し、前記放送信号を復号して得られた映像音声情報に含まれ
るコピー制御情報の内容を判定することにより、前記映像音声情報が記録可能であるかを
決定し、記録可能な場合に前記映像音声情報を記録媒体に記録することができるようにし
た復号記録装置において、デジタルの放送信号を受信し、前記放送信号を復号して得られ
た映像音声情報を記録する処理を行う記録処理部と、前記記録媒体に記録された映像音声
情報を編集する編集処理部とを備え、前記記録処理部は、映像音声情報に含まれるコピー
制御信号にコピーワンス信号が有る場合にのみ、当該映像音声信号を前記記録媒体に記録
し、前記編集処理部は、コピー制御信号の有無に関係なく前記記録媒体に記録された映像
音声情報を読み出し、当該映像音声情報がコピーコントロール処理がされていなく、前記
コピーコントロール処理の無い期間が所定時間より長くないと判定された場合に、当該映
像音声情報はＣＭ部分であると断定して該ＣＭ部分を削除することを特徴とする復号記録
装置。
【請求項３】
前記記録処理部は、当該映像音声信号に含まれるコピー制御信号にコピーワンス信号が
有るか無いかを判定するコピーワンス判定手段と、前記コピー制御信号にコピーワンス信
号が有ると判定された場合には当該映像音声信号を前記記録媒体に記録すると共に前記コ
ピー制御信号にコピーワンス信号が無いと判定された場合には前記映像音声信号を前記記
録媒体に記緑しないように制御する第１の記録制御手段とを有することを特徴とする請求
項２に記載の復号記録装置。
【請求項４】
前記編集処理部は、コピー制御信号の有無に関係なく前記記録媒体に記録された映像音
声情報を読み出し当該映像音声情報がコピーコントロール処理としてのＣＰＲＭ信号によ
る処理がされているか否かを判定するＣＰＲＭ判定手段と、当該映像音声情報がＣＰＲＭ
信号による処理がされていると判定された場合には当該映像音声情報を前記記録媒体に記
録する制御を行う第２の記録制御手段と、当該映像音声情報がＣＰＲＭ信号による処理が
されていないと判定された場合には当該映像音声情報に対するＣＰＲＭ処理の無い期間が
所定時間より長いか否かを判定するＣＰＲＭ無期間判定手段と、前記ＣＰＲＭ処理の無い
期間が所定時間より長いと判定された場合には当該映像音声情報を前記記録媒体に記録す
る制御を行う第３の記録制御手段と、前記ＣＰＲＭ処理の無い期間が所定時間より長くな
いと判定された場合には当該映像音声情報はＣＭ部分であると断定して該ＣＭ部分を削除
するＣＭ削除手段とを有することを特徴とする請求項２に記載の復号記録装置。
【発明の詳細な説明】
【技術分野】
【０００１】
本発明は、デジタルの放送信号を受信し、前記放送信号を復号して得られた映像音声情
報に含まれるコピー制御情報の内容を判定することにより、前記映像音声情報が記録可能
であるかを決定し、記録可能な場合に前記映像音声情報を記録媒体に記録することができ
るようにした復号記録装置に関する。
【背景技術】
【０００２】
近年、衛星放送形態によるデジタル放送や、最近普及しつつある地上放送形態によるデ
ジタル放送が知られている。これらのデジタル放送を受信するためには、アンテナを介し
て放送電波を受信して選局するチューナや、このチューナで選局された放送信号を復号す
るデコーダなどが備えられたセット・トップ・ボックスと呼ばれる装置を用意し、このセ
ット・トップ・ボックスをテレビ受像機と接続することが必要になる。
【０００３】
ところで、デジタル放送で放送される映像音声情報にはコピー制御情報が付加される。
このコピー制御情報は、放送された映像音声情報のコピーを規制するための情報であり、
放送された映像音声情報をユーザがどのように記録できるかを示すものである。このコピ
ー制御情報は、通常、２ビットからなり、「００」はコピーフリー（無条件にコピー可能
）を示し、「１０」は１回だけコピー可能を示し、「０１」は事業者定義のコピー禁止を
示し、「１１」はコピー禁止を示すと定められている。なお、本件で言うコピーワンス信
号とは、１回だけコピー可能なことを示す信号のことを言う。
【０００４】
映像音声情報を記録する記録媒体としては、ハードディスク、光ディスク、磁気テープ
などが知られており、これらをそれぞれ駆動させるハードディスクドライブ、光ディスク
ドライブ、ＶＴＲなどの記録機器は、セット・トップ・ボックスに内蔵または外付けされ
ることになる。
【０００５】
映像音声情報を記録するときは、ユーザが前記記録機器を選択することになる。そして
、セット・トップ・ボックスがコピー制御情報を抽出解析し、この結果、コピーすること
に問題がないと判定したときは、記録機器を記録動作させて映像音声情報を記録媒体に記
録させ、コピー禁止と判定したときは、記録させずに「この情報はコピーできません。」
などのメッセージを表示することになる。
【特許文献１】特許第３４３８６９４号公報
【特許文献２】特開２００３−２２６１０号公報
【特許文献３】特開２００３−１９９００７号公報
【発明の開示】
【発明が解決しようとする課題】
【０００６】
上述したように、映像音声情報を記録するときは、ユーザが記録機器を選択し、セット
・トップ・ボックスまたは選択された記録機器がコピー制御情報に応じて記録動作を行う
ようにしている。即ち、コピー制御情報が「００」のときは、無条件で自由にコピーでき
るので問題はない。また、コピー制御情報が「０１」および「１１」のときはコピー禁止
であるので、この場合も特に問題はない。
【０００７】
しかし、コピー制御情報が「１０」のとき（コピー制御情報にコピーワンス信号がある
とき）、１回だけコピー可能という条件付であるので、記録機器としてハードディスクド
ライブだけを選択してハードディスクにコピーしてしまうと、ハードディスクに記録され
た映像音声情報を他の記録機器にコピーして保存したり編集したりすることができない。
【０００８】
そこで、特許文献１の従来技術では、１回だけコピー可能という条件付の映像音声情報
（コンテンツ）は、光ディスクドライブの記録動作により光ディスクに記録するようにし
て、同時に編集も可能にしている。即ち、記録する映像音声情報の中にＣＭ部分（不要部
分）があった場合、このＣＭ部分を削除するために、チューナ部から出力されるトランス
ポートストリームの内容を判定し、映像音声情報に含まれるＣＭ部分を削除して映像音声
情報の編集記録を行うようにしている。
【０００９】
しかしながら、この特許文献１の従来技術では、トランスポートストリームの内容が番
組部分なのかＣＭ部分なのかの判定を何によって行っているかが開示されておらず、この
判定を行うにしても、トランスポートストリームの内容が番組部分なのかＣＭ部分なのか
の区別は信号上判定することが難しくなり、これを行うにしても処理がかなり複雑になる
という課題がある。
【００１０】
なお、特許文献２および特許文献３の従来技術では、ＣＭ部分を削除して映像音声情報
を編集する処理については開示されていないので、上記のような課題を解決できるもので
はない。
【００１１】
本発明は、上記のような課題を解決するためになされたもので、デジタル放送の映像音
声情報を記録する際には、コピー制御情報に応じて記録を行うことができるようにすると
共に、編集する際には、ＣＭ部分を削除して映像音声信号を編集する処理を簡単な処理に
より行うことができる復号記録装置を提供することを目的とする。
【課題を解決するための手段】
【００１２】
上記目的を達成するために、請求項１の発明は、デジタルの放送信号を受信し、前記放
送信号を復号して得られた映像音声情報に含まれるコピー制御情報の内容を判定すること
により、前記映像音声情報が記録可能であるかを決定し、記録可能な場合に前記映像音声
情報を記録媒体に記録することができるようにした復号記録装置において、デジタルの放
送信号を受信し、前記放送信号を復号して得られた映像音声情報を記録する処理を行う記
録処理部は、当該映像音声信号に含まれるコピー制御信号にコピーワンス信号が有るか無
いかを判定するコピーワンス判定手段と、前記コピー制御信号にコピーワンス信号が有る
と判定された場合には当該映像音声信号をＣＰＲＭ信号による処理で暗号化して前記記録
媒体に記録すると共に前記コピー制御信号にコピーワンス信号が無いと判定された場合に
は前記映像音声信号を前記記録媒体に記緑しないように制御する第１の記録制御手段とを
有し、コピー制御信号の有無に関係なく前記記録媒体に記録された映像音声情報を編集す
る編集処理部は、前記記録媒体に記録された映像音声情報を読み出し当該映像音声情報が
ＣＰＲＭ信号による処理がされているか否かを判定するＣＰＲＭ判定手段と、当該映像音
声情報がＣＰＲＭ信号による処理がされていると判定された場合には当該映像音声情報を
前記記録媒体に記録する制御を行う第２の記録制御手段と、当該映像音声情報がＣＰＲＭ
信号による処理がされていないと判定された場合には当該映像音声情報に対するＣＰＲＭ
処理の無い期間が所定時間より長いか否かを判定するＣＰＲＭ無期間判定手段と、前記Ｃ
ＰＲＭ処理の無い期間が所定時間より長いと判定された場合には当該映像音声情報を前記
記録媒体に記録する制御を行う第３の記録制御手段と、前記ＣＰＲＭ処理の無い期間が所
定時間より長くないと判定された場合には当該映像音声情報はＣＭ部分であると断定して
該ＣＭ部分を削除するＣＭ削除手段とを有することを特徴とする復号記録装置を提供する
。
【００１３】
この構成において、デジタルの放送信号を受信し、前記放送信号を復号して得られた映
像音声情報を記録する際、記録処理部においては、コピーワンス判定手段が、当該映像音
声信号に含まれるコピー制御信号にコピーワンス信号が有ると判定した場合、第１の記録
制御手段は、当該映像音声信号をＣＰＲＭ信号による処理で暗号化して記録媒体に記録す
る制御を行う。また、コピーワンス判定手段が、前記コピー制御信号にコピーワンス信号
が無いと判定した場合、第１の記録制御手段は、前記映像音声信号を前記記録媒体に記緑
しないように制御を行う。
【００１４】
コピー制御信号の有無に関係なく記録媒体に記録された映像音声情報を編集する際は、
編集処理部においては、ＣＰＲＭ判定手段は、前記記録媒体に記録された映像音声情報を
読み出し、当該映像音声情報がＣＰＲＭ信号による処理がされていると判定した場合、第
２の記録制御手段は、当該映像音声情報を前記記録媒体に記録する制御を行う。また、Ｃ
ＰＲＭ判定手段は、当該映像音声情報がＣＰＲＭ信号による処理がされていないと判定し
、ＣＰＲＭ無期間判定手段は、当該映像音声情報に対するＣＰＲＭ処理の無い期間が所定
時間より長いと判定した場合、第３の記録制御手段は、当該映像音声情報を前記記録媒体
に記録する制御を行う。また、ＣＰＲＭ判定手段は、当該映像音声情報がＣＰＲＭ信号に
よる処理がされていないと判定し、ＣＰＲＭ無期間判定手段は、当該映像音声情報に対す
るＣＰＲＭ処理の無い期間が所定時間より長くないと判定した場合、ＣＭ削除手段は、当
該映像音声情報がＣＭ部分であると断定して該ＣＭ部分を削除する。
【００１５】
この構成によれば、デジタル放送の映像音声情報を記録する際には、コピー制御情報に
応じて記録を行うことができるので、ＣＭ部分を飛ばして映像音声情報を記録でき、また
、コピー制御信号の有無に関係なく記録媒体に記録された映像音声情報を編集する際には
、当該映像音声情報がＣＰＲＭ信号による処理がされていなく、ＣＰＲＭ処理の無い期間
が所定時間より長くない場合は、当該映像音声情報がＣＭ部分であると断定して該ＣＭ部
分を削除するので、簡単な処理により映像音声情報の編集を行うことができる。
【００１６】
請求項２の発明は、デジタルの放送信号を受信し、前記放送信号を復号して得られた映
像音声情報に含まれるコピー制御情報の内容を判定することにより、前記映像音声情報が
記録可能であるかを決定し、記録可能な場合に前記映像音声情報を記録媒体に記録するこ
とができるようにした復号記録装置において、デジタルの放送信号を受信し、前記放送信
号を復号して得られた映像音声情報を記録する処理を行う記録処理部と、前記記録媒体に
記録された映像音声情報を編集する編集処理部とを備え、前記記録処理部は、映像音声情
報に含まれるコピー制御信号にコピーワンス信号が有る場合にのみ、当該映像音声信号を
前記記録媒体に記録し、前記編集処理部は、コピー制御信号の有無に関係なく前記記録媒
体に記録された映像音声情報を読み出し、当該映像音声情報がコピーコントロール処理が
されていなく、前記コピーコントロール処理の無い期間が所定時間より長くないと判定さ
れた場合に、当該映像音声情報はＣＭ部分であると断定して該ＣＭ部分を削除することを
特徴とする復号記録装置を提供する。
【００１７】
この構成において、デジタルの放送信号を受信し、前記放送信号を復号して得られた映
像音声情報を記録する際、前記記録処理部は、映像音声情報に含まれるコピー制御信号に
コピーワンス信号が有る場合にのみ、当該映像音声信号を前記記録媒体に記録する。
【００１８】
コピー制御信号の有無に関係なく記録媒体に記録された映像音声情報を編集する際は、
編集処理部は、コピー制御信号の有無に関係なく前記記録媒体に記録された映像音声情報
を読み出し、当該映像音声情報がコピーコントロール処理がされていなく、前記コピーコ
ントロール処理の無い期間が所定時間より長くないと判定された場合に、当該映像音声情
報がＣＭ部分であると断定して該ＣＭ部分を削除する。
【００１９】
この構成によれば、デジタル放送の映像音声情報を記録する際には、コピー制御情報に
応じて記録を行うことができるので、ＣＭ部分を飛ばして映像音声情報を記録でき、また
、コピー制御信号の有無に関係なく記録媒体に記録された映像音声情報を編集する際には
、当該映像音声情報がコピーコントロール処理がされていなく、コピーコントロール処理
の無い期間が所定時間より長くない場合は、当該映像音声情報がＣＭ部分であると断定し
て該ＣＭ部分を削除するので、簡単な処理により映像音声情報の編集を行うことができる
。
【００２０】
請求項３の発明では、請求項２の発明において、前記記録処理部は、当該映像音声信号
に含まれるコピー制御信号にコピーワンス信号が有るか無いかを判定するコピーワンス判
定手段と、前記コピー制御信号にコピーワンス信号が有ると判定された場合には当該映像
音声信号を前記記録媒体に記録すると共に前記コピー制御信号にコピーワンス信号が無い
と判定された場合には前記映像音声信号を前記記録媒体に記緑しないように制御する第１
の記録制御手段とを有するので、デジタル放送の映像音声情報を記録する際に、ＣＭ部分
を飛ばして映像音声情報を記録できるようになる。
【００２１】
請求項４の発明では、請求項２の発明において、前記編集処理部は、コピー制御信号の
有無に関係なく前記記録媒体に記録された映像音声情報を読み出し当該映像音声情報がコ
ピーコントロール処理としてのＣＰＲＭ信号による処理がされているか否かを判定するＣ
ＰＲＭ判定手段と、当該映像音声情報がＣＰＲＭ信号による処理がされていると判定され
た場合には当該映像音声情報を前記記録媒体に記録する制御を行う第２の記録制御手段と
、当該映像音声情報がＣＰＲＭ信号による処理がされていないと判定された場合には当該
映像音声情報に対するＣＰＲＭ処理の無い期間が所定時間より長いか否かを判定するＣＰ
ＲＭ無期間判定手段と、前記ＣＰＲＭ処理の無い期間が所定時間より長いと判定された場
合には当該映像音声情報を前記記録媒体に記録する制御を行う第３の記録制御手段と、前
記ＣＰＲＭ処理の無い期間が所定時間より長くないと判定された場合には当該映像音声情
報はＣＭ部分であると断定して該ＣＭ部分を削除するＣＭ削除手段とを有するので、コピ
ー制御信号の有無に関係なく記録媒体に記録された映像音声情報を編集する際、当該映像
音声情報がＣＰＲＭ信号による処理がされていなく、ＣＰＲＭ処理の無い期間が所定時間
より長くない場合は、当該映像音声情報がＣＭ部分であると断定して該ＣＭ部分を削除す
ることができる。
【発明の効果】
【００２２】
以上のように本発明によれば、デジタルの放送信号を受信し、前記放送信号を復号して
得られた映像音声情報を記録する処理を行う記録処理部は、当該映像音声信号に含まれる
コピー制御信号にコピーワンス信号が有るか無いかを判定するコピーワンス判定手段と、
前記コピー制御信号にコピーワンス信号が有ると判定された場合には当該映像音声信号を
ＣＰＲＭ信号による処理で暗号化して前記記録媒体に記録すると共に前記コピー制御信号
にコピーワンス信号が無いと判定された場合には前記映像音声信号を前記記録媒体に記緑
しないように制御する第１の記録制御手段とを有し、コピー制御信号の有無に関係なく前
記記録媒体に記録された映像音声情報を編集する編集処理部は、前記記録媒体に記録され
た映像音声情報を読み出し当該映像音声情報がＣＰＲＭ信号による処理がされているか否
かを判定するＣＰＲＭ判定手段と、当該映像音声情報がＣＰＲＭ信号による処理がされて
いると判定された場合には当該映像音声情報を前記記録媒体に記録する制御を行う第２の
記録制御手段と、当該映像音声情報がＣＰＲＭ信号による処理がされていないと判定され
た場合には当該映像音声情報に対するＣＰＲＭ処理の無い期間が所定時間より長いか否か
を判定するＣＰＲＭ無期間判定手段と、前記ＣＰＲＭ処理の無い期間が所定時間より長い
と判定された場合には当該映像音声情報を前記記録媒体に記録する制御を行う第３の記録
制御手段と、前記ＣＰＲＭ処理の無い期間が所定時間より長くないと判定された場合には
当該映像音声情報はＣＭ部分であると断定して該ＣＭ部分を削除するＣＭ削除手段とを有
するので、デジタル放送の映像音声情報を記録する際には、コピー制御情報に応じて記録
を行うことができ、したがって、ＣＭ部分を飛ばして映像音声情報を記録でき、また、コ
ピー制御信号の有無に関係なく記録媒体に記録された映像音声情報を編集する際には、当
該映像音声情報がＣＰＲＭ信号による処理がされていなく、ＣＰＲＭ処理の無い期間が所
定時間より長くない場合は、当該映像音声情報がＣＭ部分であると断定して該ＣＭ部分を
削除することができ、したがって、簡単な処理により映像音声情報の編集を行うことがで
きる。
【００２３】
また、本発明によれば、デジタルの放送信号を受信し、前記放送信号を復号して得られ
た映像音声情報を記録する処理を行う記録処理部と、前記記録媒体に記録された映像音声
情報を編集する編集処理部とを備え、前記記録処理部は、映像音声情報に含まれるコピー
制御信号にコピーワンス信号が有る場合にのみ、当該映像音声信号を前記記録媒体に記録
し、前記編集処理部は、コピー制御信号の有無に関係なく前記記録媒体に記録された映像
音声情報を読み出し、当該映像音声情報がコピーコントロール処理がされていなく、前記
コピーコントロール処理の無い期間が所定時間より長くないと判定された場合に、当該映
像音声情報はＣＭ部分であると断定して該ＣＭ部分を削除するので、デジタル放送の映像
音声情報を記録する際には、コピー制御情報に応じて記録を行うことができ、したがって
、ＣＭ部分を飛ばして映像音声情報を記録でき、また、コピー制御信号の有無に関係なく
記録媒体に記録された映像音声情報を編集する際には、当該映像音声情報がコピーコント
ロール処理がされていなく、コピーコントロール処理の無い期間が所定時間より長くない
場合は、当該映像音声情報がＣＭ部分であると断定して該ＣＭ部分を削除することができ
、したがって、簡単な処理により映像音声情報の編集を行うことができる。
【発明を実施するための最良の形態】
【００２４】
以下、添付図面を参照しつつ、本発明の実施の形態について説明する。図１は本発明の
一実施形態に係る復号記録装置の構成を示すブロック図である。
【００２５】
この復号記録装置は、セット・トップ・ボックス１と、記録媒体としてのハードディス
クに情報を記録するハードディスクドライブ２と、記録媒体としてのＤＶＤ（デジタル・
バーサタイル・ディスク）などの光ディスクに情報を記録する光ディスクドライブ３と、
記録媒体としての磁気テープに情報を記録するＶＴＲ（ビデオ・テープ・レコーダ）４な
どの記録機器から構成される。
【００２６】
セット・トップ・ボックス１は、自体および記録機器の全体を制御するシステムコント
ローラ６と、デジタル放送電波を受信して選局するチューナ部９と、このチューナ部９か
らのＭＰＥＧ圧縮されたデータを復号するＭＰＥＧ復号部１３と、記録機器やその他の外
部機器とのデータ入出力のためのデジタルインターフェース部１１と備えている。
【００２７】
システムコントローラ６は、デジタルの放送信号を受信し、前記放送信号を復号して得
られた映像音声情報を記録する処理を行う記録処理部７と、コピー制御信号の有無に関係
なく前記記録機器の記録媒体に記録された映像音声情報を編集する編集処理部８とを備え
ている。
【００２８】
記録処理部７は、当該映像音声信号に含まれるコピー制御信号にコピーワンス信号が有
るか無いかを判定するコピーワンス判定手段７１と、前記コピー制御信号にコピーワンス
信号が有ると判定された場合には当該映像音声信号をＣＰＲＭ信号による処理で暗号化し
て前記記録媒体に記録すると共に前記コピー制御信号にコピーワンス信号が無いと判定さ
れた場合には前記映像音声信号を前記記録媒体に記緑しないように制御する第１の記録制
御手段７２とを有する。
【００２９】
編集処理部８は、前記記録媒体に記録された映像音声情報を読み出し当該映像音声情報
がＣＰＲＭ（Content Protection for Recordable Media）信号による処理がされている
か否かを判定するＣＰＲＭ判定手段８１と、当該映像音声情報がＣＰＲＭ信号による処理
がされていると判定された場合には当該映像音声情報を前記記録媒体に記録する制御を行
う第２の記録制御手段８２と、当該映像音声情報がＣＰＲＭ信号による処理がされていな
いと判定された場合には当該映像音声情報に対するＣＰＲＭ処理の無い期間が所定時間よ
り長いか否かを判定するＣＰＲＭ無期間判定手段８３と、前記ＣＰＲＭ処理の無い期間が
所定時間より長いと判定された場合には当該映像音声情報を前記記録媒体に記録する制御
を行う第３の記録制御手段８４と、前記ＣＰＲＭ処理の無い期間が所定時間より長くない
と判定された場合には当該映像音声情報はＣＭ部分であると断定して該ＣＭ部分を削除す
るＣＭ削除手段８５とを有する。
【００３０】
前記ＣＰＲＭは、記録可能なメディア用に開発されたもので、メディア側にＭＫＢ（Me
dia Key Block）と呼ばれる鍵束を記録しておき、それと光ディスク再生装置側に用意さ
れている機器鍵（デバイスキー）を用いて高度な著作権保護（コピーコントロール）を実
現する。ＣＰＲＭは、ＤＶＤビデオで採用されているＣＳＳ（Content Scramble System
）をより強固にしただけでなく、暗号鍵が漏れてしまった場合でも、それを無効にする機
能をサポートした強力な著作権保護技術である。
【００３１】
メディア（光ディスク）に記録された、あるいは記録するコンテンツ（映像音声情報）
は、全て暗号化されており、光ディスク再生装置では、再生時は、光ディスク再生装置側
が持っている機器鍵（デバイスキー）と、メディア（光ディスク）側に記録されているＭ
ＫＢとを使用して暗号を解くために必要となるメディア鍵を生成してコンテンツの暗号化
を解いて再生を行う。
【００３２】
ＣＰＲＭでは、リードイン領域には、ＭＫＢが記録されており、ＢＣＡ（Burst Cuttin
g Area）と呼ばれている領域には、メディア１枚毎に異なる固有のＩＤ情報（メディアＩ
Ｄ）が記録されている。勿論、両者は複製することができないし、改ざんすることもでき
ない。また、ＭＫＢは、最大枚数も決められており、一定枚数まで達すると、新しいもの
に更新される。
【００３３】
コンテンツの暗号化は、デバイスキーとＭＫＢによって生成されるメディア鍵とメディ
アＩＤによって暗号化タイトル鍵を生成する。実際のコンテンツは、暗号化タイトル鍵に
ＣＣＩ（Copy Control Infomation）を加えたデータから生成された鍵によって行われて
いる。ＣＣＩは、記録時にコンテンツ側から送られるようになっており、コンテンツと共
に暗号化されて記録されるが、暗号化されていないＣＣＩも一緒に配布される。そして、
両者は一致しないと不正とみなされるようになっている。
【００３４】
チューナ部９は、デジタル放送電波を受信復調し、ビタビ復調およびリードソロモン符
号による誤り訂正処理などを行い、例えばＭＰＥＧ−２規定のトランスポートストリーム
として出力する。ＭＰＥＧ復号部１０は、チューナ部９から出力されるトランスポートス
トリームを受け、ＭＰＥＧ圧縮された映像音声データを復号してテレビ受像機５に送出す
る。
【００３５】
デジタルインターフェース部１１は、チューナ部９から出力されるトランスポートスト
リームを受け、記録機器やその他外部機器に出力すると共に、記録機器やその他外部機器
からのトランスポートストリームをＭＰＥＧ復号部１０に送出する機能を持ち、例えばＩ
ＥＥＥ１３９４と呼ばれるインターフェースが使われる。
【００３６】
記録機器のうち、ハードディスクドライブ２としては、セット・トップ・ボックス１に
内蔵される内蔵型が多くなると思われるが、デジタルインターフェース１１を介して外付
けされるものもあり、本発明の実施形態に関しては内蔵型、外付け型を問わない。また、
光ディスクドライブ３およびＶＴＲ４としては、デジタルインターフェース部１１による
外付け型が一般的と思われるが、セット・トップ・ボックス１に内蔵されるものもあり、
本発明の実施形態に関しては内蔵型、外付け型を問わない。図１に示す実施形態では、記
録機器は全て外付け型の機器を示している。
【００３７】
ところで、ハードディスクドライブ２内のハードディスクは、記録容量が大きく、連続
して記録したときにオーバーフローしても、また最初から記録するエンドレス記録が可能
であるという長所を持っている。したがって、放送番組の内容を選択せずに記録し、後か
ら好みの番組だけを再生して視聴するタイムシフト視聴に適している。しかし、その反面
、記録媒体としてのハードディスクをハードディスクドライブ２から取り出して交換する
ことができない。このため、ハードディスクへの記録がオーバーフローしたならば、記録
済みのデータの一部を消去して新たに記録するしかないという短所を持っている。
【００３８】
光ディスクドライブ３により駆動される光ディスクは交換することができ、また、記録
データの再生順序を指定したり、記録を伴う編集を光ディスク上で実現できるという長所
がある。したがって、光ディスク１枚当たりの記録容量はハードディスクよりも小さいが
、光ディスクを交換することにより記録容量は無限と考えることができる。
【００３９】
ＶＴＲ４により駆動される磁気テープは、記録容量が非常に大きく、交換できるという
長所を持っている。したがって、放送番組の内容を選択せずに記録し、保存するのに適し
ている。しかし、その反面、磁気テープ上での検索や編集は時間が多くかかるという短所
を持っている。
【００４０】
図２は本実施形態において放送信号を復号して得られた映像音声信号を記録する際の処
理を説明するためのフローチャートである。このフローチャートを参照して映像音声信号
を記録する際の処理を説明する。
【００４１】
デジタルの放送信号を受信し（ステップＳ１）、前記放送信号を復号して得られた映像
音声情報を記録する処理が開始すると（ステップＳ２）、セット・トップ・ボックス１内
のシステムコントローラ６の記録処理部７においては、コピーワンス判定手段７１が、当
該映像音声信号に含まれるコピー制御信号にコピーワンス信号が有ると判定した場合（ス
テップＳ３）、第１の記録制御手段７２は、当該映像音声信号をＣＰＲＭ信号による処理
で暗号化して記録媒体に記録する制御を行う（ステップＳ４）。即ち、第１の記録制御手
段７２は、光ディスクドライブ３を記録動作させ、当該映像音声信号をＣＰＲＭ信号によ
る処理で暗号化して光ディスクに記録させる。
【００４２】
コピーワンス判定手段７１が、前記コピー制御信号にコピーワンス信号が無いと判定し
た場合（ステップＳ３）、第１の記録制御手段７２は、前記映像音声信号を光ディスクに
記緑しないように制御を行う（ステップＳ６）。即ち、第１の記録制御手段７２は、光デ
ィスクドライブ３の記録動作を停止させ、当該映像音声信号を光ディスクに記録しないよ
うにする。
【００４３】
ステップＳ４またはステップＳ６の処理の後、映像音声情報の記録が終了するまで（ス
テップＳ５）、同様な処理が繰り返される。このような処理によれば、デジタル放送の映
像音声情報を光ディスクに記録する際には、コピー制御情報のコピーワンス信号に応じて
記録を行うことができるので、ＣＭ部分を飛ばして映像音声情報を記録できる。
【００４４】
図３は本実施形態においてコピー制御信号の有無に関係なく記録媒体に記録された映像
音声情報を編集する際の処理を説明するためのフローチャートである。このフローチャー
トを参照してコピー制御信号の有無に関係なく記録媒体に記録された映像音声情報を編集
する際の処理を説明する。
【００４５】
コピー制御信号の有無に関係なく例えば光ディスクに記録された映像音声情報を編集す
る処理が開始すると（ステップＳ１１）、編集処理部８においては、ＣＰＲＭ判定手段８
１は、前記光ディスクに記録された映像音声情報を光ディスクドライブ３を介して読み出
し、当該映像音声情報がＣＰＲＭ信号による処理がされていると判定した場合（ステップ
Ｓ１２）、第２の記録制御手段８２は、当該映像音声情報を前記光ディスクに記録する制
御を行う（ステップＳ１３）。即ち、第２の記録制御手段８２は、光ディスクドライブ３
を記録動作させ、当該映像音声信号を同じくＣＰＲＭ信号による処理で暗号化して光ディ
スクに記録させる。
【００４６】
また、ＣＰＲＭ判定手段８１は、当該映像音声情報がＣＰＲＭ信号による処理がされて
いないと判定し（ステップＳ１２）、ＣＰＲＭ無期間判定手段８３は、当該映像音声情報
に対するＣＰＲＭ処理の無い期間が所定時間より長いと判定した場合（ステップＳ１５）
、第３の記録制御手段８４は、当該映像音声情報を前記光ディスクに記録するように光デ
ィスクドライブ３に対して制御を行う（ステップＳ１３）。
【００４７】
また、ＣＰＲＭ判定手段８１は、当該映像音声情報がＣＰＲＭ信号による処理がされて
いないと判定し（ステップＳ１２）、ＣＰＲＭ無期間判定手段８３は、当該映像音声情報
に対するＣＰＲＭ処理の無い期間が所定時間より長くないと判定した場合（ステップＳ１
５）、ＣＭ削除手段８５は、当該映像音声情報がＣＭ部分であると断定して（ステップＳ
１６）、該ＣＭ部分を削除する（ステップＳ１７）。なお、ＣＭ部分を削除する代わりに
、ＣＭ部分を当該映像音声情報から分離しても良い。したがって、編集対象の映像音声情
報からＣＭ部分を分離するということは、編集対象の映像音声情報から見ればＣＭ部分が
削除されたことになるので、ここで言う削除は分離の概念も含むものとする。
【００４８】
このような処理によれば、コピー制御信号の有無に関係なく光ディスクに記録された映
像音声情報を編集する際には、当該映像音声情報がＣＰＲＭ信号による処理がされていな
く、ＣＰＲＭ処理の無い期間が所定時間より長くない場合は、当該映像音声情報がＣＭ部
分であると断定して該ＣＭ部分を削除するので、簡単な処理により映像音声情報の編集を
行うことができる。
【図面の簡単な説明】
【００４９】
【図１】本発明の一実施形態に係る復号記録装置の構成を示すブロック図である。
【図２】前記実施形態において放送信号を復号して得られた映像音声信号を記録する際の処理を説明するためのフローチャートである。
【図３】前記実施形態においてコピー制御信号の有無に関係なく記録媒体に記録された映像音声情報を編集する際の処理を説明するためのフローチャートである。
【符号の説明】
【００５０】
７    記録処理部
８    編集処理部
７１    コピーワンス判定手段
７２    第１の記録制御手段
８１    ＣＰＲＭ判定手段
８２    第２の記録制御手段
８３    ＣＰＲＭ無期間判定手段
８４    第３の記録制御手段
８５    ＣＭ削除手段
【図１】
2005229156.tif 000003
【図２】
2005229156.tif 000004
【図３】
2005229156.tif 000005